(57)【要約】【課題】既設波長の一部を撤去し、対応する波長帯域内に増設波長数を増やして増設する場合に、増設波長の挿入および光出力レベルの制御を自動的に行うことで、波長挿入の間違いや光出力レベルの調整ミスによる既設波長への影響を抑止する波長多重伝送システムを得る。【解決手段】波長レベルモニタ部１０により測定された波長多重信号における各々の波長レベルに基づいて既設波長多重伝送システムにおいて撤去された既設波長および波長帯域を特定すると共に、光送信部５１〜５ｎのうちの特定した波長帯域に含まれる増設波長を有する光送信部を特定し、特定された光送信部に応じた波長レベルの目標値を一律になるように設定し、波長レベルモニタ部１０により測定される波長レベルが目標値になるように特定した光送信部から出力される光送信信号の光出力レベルを制御する増設判定／送信レベル制御部１５を備えた。【選択図】図１
2010166394.tif 000002
【特許請求の範囲】
【請求項１】
既設波長多重伝送システムにおける既設波長の一部が撤去された場合に、その撤去された既設波長に対応する波長帯域に、その撤去された既設波長の数よりも数を増やして波長増設する波長増設システムを備えた波長多重伝送システムにおいて、
上記波長増設システムは、
上記既設波長多重伝送システムにおける既設波長よりも狭い波長間隔に設定された各々異なる波長の光送信信号を出力する複数の増設波長用の光送信手段と、
上記複数の光送信手段から出力された光送信信号を合波する第１の光合波手段と、
上記既設波長多重伝送システムにおける波長多重信号に上記第１の光合波手段により合波された光送信信号を合波する第２の光合波手段と、
上記第２の光合波手段により合波された波長多重信号を増幅する光増幅手段と、
上記光増幅手段から出力される波長多重信号の一部を分岐する第１の光分岐手段と、
上記第１の光分岐手段により分岐された波長多重信号における各々の波長レベルを測定する波長レベルモニタ手段と、
上記波長レベルモニタ手段により測定された波長多重信号における各々の波長レベルに基づいて上記既設波長多重伝送システムにおいて撤去された既設波長およびその波長帯域を特定すると共に、上記光送信手段のうちのその特定した波長帯域に含まれる増設波長を有する光送信手段を特定し、それら特定された光送信手段に各々応じた上記波長レベルモニタ手段により測定される波長レベルの目標値を一律になるように設定し、上記波長レベルモニタ手段により測定される波長レベルがそれら目標値になるように上記特定した光送信手段から出力される光送信信号の光出力レベルを制御する増設判定／送信レベル制御手段とを備えたことを特徴とする波長多重伝送システム。
【請求項２】
波長増設システムは、
既設波長多重伝送システムにおける受信側において波長多重信号のうちの増設波長の光受信信号を分岐する第２の光分岐手段と、
上記第２の光分岐手段により分岐された光受信信号を各々異なる波長に分波する光分波手段と、
上記光分波手段により分波された各々異なる波長の光受信信号を入力する複数の増設波長用の光受信手段と、
上記複数の光受信手段により入力される各々の光受信信号のビット誤り率を測定するビット誤り率モニタ手段とを備え、
増設判定／送信レベル制御手段は、
上記ビット誤り率モニタ手段により測定されるビット誤り率が一律になるように特定した光送信手段から出力される光送信信号の光出力レベルを制御することを特徴とする請求項１記載の波長多重伝送システム。
【請求項３】
増設判定／送信レベル制御手段は、
撤去された既設波長が撤去前に有していたと推定される波長レベルの総和と特定された光送信手段に各々応じた波長レベルモニタ手段により測定される波長レベルの総和とが等しくなる一律な目標値を設定することを特徴とする請求項１または請求項２記載の波長多重伝送システム。
【請求項４】
増設判定／送信レベル制御手段は、
波長レベルモニタ手段により測定された波長多重信号における各々の波長レベルに基づいて、特定した波長帯域に隣接する波長帯域に既に増設波長が増設されているか判定し、既に増設波長が増設されている場合に、既設波長多重伝送システムにおいて既に増設された増設波長を有する光送信手段を特定し、撤去された既設波長が撤去前に有していたと推定される波長レベルおよび既に増設された増設波長の波長レベルの総和とそれら既に増設された増設波長分も含めて特定された上記光送信手段に各々応じた上記波長レベルモニタ手段により測定される波長レベルの総和とが等しくなる一律な目標値を設定し、上記波長レベルモニタ手段により測定される波長レベルがそれら目標値になるように上記既に増設された増設波長分も含めて特定された光送信手段から出力される光送信信号の光出力レベルを制御することを特徴とする請求項１または請求項２記載の波長多重伝送システム。
【発明の詳細な説明】
【技術分野】
【０００１】
この発明は、波長増設システムを備えた波長多重伝送システムに関するものである。
【背景技術】
【０００２】
波長多重伝送システムにおいて、送受信器の特性改善や誤り訂正能力の強化等により、ある波長帯域に挿入する波長数の数を既設の波長多重伝送システムよりも増やして伝送することが可能となってきている。既設波長を撤去して新設波長を増設する場合に、既設波長多重伝送システムを波長増設・調整が完了するまでの期間、停止する必要があるが、既設波長多重伝送システムは、既にインサービスの状態であり、既設波長全体を停止して波長増設することは難しい場合がある。
【０００３】
このような背景の基、従来はインサービスのまま、手動にて既設波長を撤去し、新しい増設波長を挿入して、レベル調整を実施していたが、人為ミスによる間違った波長の挿入や新設波長のレベルを過剰に高く調整してしまい、既設波長のレベルが相対的に低下することなどによりインサービスの既設回線に影響を与えるリスクがあった。また、手動で実施するため調整時間も長くなってしまう課題があった。
【０００４】
このような既設波長の品質劣化を回避しつつ、短時間で増設波長の光出力レベルを自動制御する方法については下記特許文献１のような先行技術が提案されている。下記特許文献１によれば、既設波長の光出力レベルが最低許容光出力レベルを下回らないように増設波長の光出力レベルを制御することで、既設波長の回線品質を許容できる範囲に維持しながら増設波長の光出力レベルを自動的に調整することが可能となる。
【先行技術文献】
【特許文献】
【０００５】
【特許文献１】特開２００５−２６９００７号公報
【発明の概要】
【発明が解決しようとする課題】
【０００６】
従来の波長多重伝送システムは以上のように構成されているので、上記特許文献１では、既設波長数を維持しつつ増設波長の光出力レベルを制御する場合の増設波長の挿入および光出力レベルの制御方法について記載されているものの、既設波長の一部を撤去し、対応する波長帯域内の増設波長数を増やして増設する場合の増設波長の挿入および光出力レベルの制御方法については記載されていない。
【０００７】
また、上記特許文献１では、最低許容光出力レベルまでは既設波長の光出力レベルが下がり得ることになり、最低許容光出力レベルの見極めを誤ると既設回線品質に影響が出る可能性があるという課題があった。
【０００８】
この発明は上記のような課題を解決するためになされたもので、既設波長の一部を撤去し、対応する波長帯域内の増設波長数を増やして増設する場合に、増設波長の挿入および光出力レベルの制御を自動的に行うことで、従来のように手動で行うことによる波長挿入の間違いや光出力レベルの調整ミスによる既設波長への影響を抑止し、より短時間で波長増設を実現する波長多重伝送システムを得ることを目的とする。
【課題を解決するための手段】
【０００９】
この発明に係る波長多重伝送システムは、既設波長多重伝送システムにおける既設波長の一部が撤去された場合に、撤去された既設波長に対応する波長帯域に、撤去された既設波長の数よりも数を増やして波長増設する波長増設システムを備えた波長多重伝送システムにおいて、波長増設システムは、既設波長多重伝送システムにおける既設波長よりも狭い波長間隔に設定された各々異なる波長の光送信信号を出力する複数の増設波長用の光送信手段と、複数の光送信手段から出力された光送信信号を合波する第１の光合波手段と、既設波長多重伝送システムにおける波長多重信号に第１の光合波手段により合波された光送信信号を合波する第２の光合波手段と、第２の光合波手段により合波された波長多重信号を増幅する光増幅手段と、光増幅手段から出力される波長多重信号の一部を分岐する第１の光分岐手段と、第１の光分岐手段により分岐された波長多重信号における各々の波長レベルを測定する波長レベルモニタ手段と、波長レベルモニタ手段により測定された波長多重信号における各々の波長レベルに基づいて既設波長多重伝送システムにおいて撤去された既設波長および波長帯域を特定すると共に、光送信手段のうちの特定した波長帯域に含まれる増設波長を有する光送信手段を特定し、特定された光送信手段に各々応じた波長レベルモニタ手段により測定される波長レベルの目標値を一律になるように設定し、波長レベルモニタ手段により測定される波長レベルが目標値になるように特定した光送信手段から出力される光送信信号の光出力レベルを制御する増設判定／送信レベル制御手段とを備えたものである。
【発明の効果】
【００１０】
この発明によれば、既設波長の一部を撤去し、撤去された既設波長に対応する波長帯域に、撤去された既設波長の数よりも数を増やして波長増設する場合に、撤去された既設波長および波長帯域の特定、特定した波長帯域に含まれる増設波長を有する光送信手段の特定、特定された光送信手段に各々応じた波長レベルモニタ手段により測定される波長レベルの目標値の設定、および波長レベルモニタ手段により測定される波長レベルが目標値になるように特定した光送信手段から出力される光送信信号の光出力レベルの制御からなる、検出、演算、および制御を自動的に行うことができるので、従来のように手動で行うことによる波長挿入の間違いや光出力レベルの調整ミスによる既設波長への影響を抑止することができる。また、自動的に制御するため手動で実施するよりも短時間で増設することができる。さらに、既設波長に対しては撤去のみで何も制御しないため、ほとんど制約なく既設波長多重伝送システムに波長増設することができる効果がある。
【図面の簡単な説明】
【００１１】
【図１】この発明の実施の形態１による波長増設システムを備えた波長多重伝送システムの構成を示すブロック図である。
【図２】既設波長多重伝送システムの構成を示すブロック図である。
【図３】この発明の実施の形態１による波長増設手順を示すフローチャートである。
【図４】この発明の実施の形態１によるケース毎に分けた波長増設方法を示す説明図である。
【図５】この発明の実施の形態２による波長増設システムを備えた波長多重伝送システムの構成を示すブロック図である。
【図６】この発明の実施の形態２による波長増設手順を示すフローチャートである。
【発明を実施するための形態】
【００１２】
以下、この発明の実施の一形態を説明する。
実施の形態１．
図１はこの発明の実施の形態１による波長増設システムを備えた波長多重伝送システムの構成を示すブロック図であり、図２は既設波長多重伝送システムの構成を示すブロック図である。
【００１３】
既設波長多重伝送システムを示した図２において、既設波長多重装置送信部（既設ＷＤＭ装置ＴＸ）１は、送信側に設けられ、各々異なる波長の光送信信号を多重した波長多重信号を伝送路に出力するものである。光中継器２は、送信側と受信側との間に設けられ、複数の光増幅器等からなり、波長多重信号を光増幅するものである。既設波長多重装置受信部（既設ＷＤＭ装置ＲＸ）３は、受信側に設けられ、伝送路から受信される波長多重信号を分波して各々異なる波長の光送信信号を入力するものである。
【００１４】
既設波長多重伝送システムに波長増設システムを備えた波長多重伝送システムを示した図１において、波長増設システムは、既設波長多重伝送システムにおける既設波長の一部が撤去された場合に、撤去された既設波長に対応する波長帯域に、撤去された既設波長の数よりも数を増やして波長増設することを対象としたものである。
【００１５】
送信側において、増設波長用の光送信部（光送信手段）５１〜５ｎは、予め設定された各々異なる波長の光送信信号を出力するものである。なお、光送信部５１〜５ｎは、既設波長の光送信部以上の伝送品質が要求されることから、既設波長よりも狭い波長間隔でも伝送可能な性能を持つものである。具体的に必要な性能は適用する伝送路や回線品質により決定されるものである。光合波部（第１の光合波手段）６は、光送信部５１〜５ｎから出力される光送信信号を合波するものである。なお、光合波部６は、単に光合波する機能だけでなく伝送路の条件に応じて波長分散補償ファイバや光増幅器を含むものであり、光合波された増設波長の光出力レベルがある程度揃うように構成されたものである。
【００１６】
光カプラ（第２の光合波手段）７は、既設波長多重装置送信部１から出力される波長多重信号に光合波部６により合波された光送信信号を合波するものである。光増幅器（光増幅手段）８は、光カプラ７により合波された波長多重信号を増幅するものである。光カプラ（第１の光分岐手段）９は、光増幅器８から出力される波長多重信号の一部を分岐するものである。波長レベルモニタ部（波長レベルモニタ手段）１０は、光カプラ９により分岐された波長多重信号における各々の波長レベルを測定するものである。なお、波長レベルモニタ部１０には、例えば、光スペクトルアナライザ等が適用され、光送信部５１〜５ｎから出力される各々異なる波長に応じた光出力レベルを十分な分解能で検出する機能を持つものである。
【００１７】
受信側において、光カプラ（第２の光分岐手段）１１は、波長多重信号のうちの増設波長の光受信信号を分岐するものである。光分波部（光分波手段）１２は、光カプラ１１により分岐された光受信信号を各々異なる波長に分波するものである。なお、光分波部１２は、単に光分波する機能だけでなく伝送路の条件に応じて波長分散補償ファイバや光増幅器を含むものであり、光分波された増設波長の光受信レベルがある程度揃うように構成されたものである。増設波長用の光受信部（光受信手段）１３１〜１３ｎは、光分波部１２により分波された各々異なる波長の光受信信号を入力するものである。なお、光受信部１３１〜１３ｎは、既設波長の光受信部以上の誤り訂正能力が要求されることから、既設波長よりも狭い波長間隔でも伝送可能な性能を持つものである。具体的に必要な性能は適用する伝送路や回線品質により決定されるものである。
【００１８】
送信側において、増設判定／送信レベル制御部（増設判定／送信レベル制御手段）１５は、波長レベルモニタ部１０により測定された波長多重信号における各々の波長レベルに基づいて、撤去された既設波長および波長帯域を特定すると共に、特定した波長帯域に含まれる増設波長を有する複数の光送信部を光送信部５１〜５ｎのうちから特定し、特定された複数の光送信部に各々応じた波長レベルモニタ部１０により測定される波長レベルの目標値を一律になるように設定し、波長レベルモニタ部１０により測定される波長レベルが目標値になるように特定した光送信部から出力される光送信信号の光出力レベルを制御するものである。なお、光送信部５１〜５ｎにおいて出力される光送信信号の各々の波長が予め設定されていることから、増設判定／送信レベル制御部１５では、光送信部５１〜５ｎにおいて出力される光送信信号の各々の波長を予め認識しているものである。
【００１９】
次に動作について説明する。
図２に示したように、増設前の既設の波長多重伝送システムでは、既設波長多重装置送信部１から伝送路に出力された波長多重信号は光中継器２にて光増幅されながら伝送され既設波長多重装置受信部３で受信される。
【００２０】
図２に示した既設波長多重伝送システムにおいて、既設波長の一部を撤去して、撤去した既設波長に対応する波長帯域に、撤去した既設波長の数よりも数を増やして波長増設する場合に、図１に示したように、既設波長多重伝送システムに備えられた波長増設システムを適用する。
【００２１】
図１において、増設波長の光送信部５１〜５ｎから出力された増設波長の光送信信号は光合波部６で光合波され、光合波された増設波長と既設波長多重信号は光カプラ７により光合波され、光増幅器８によりその挿入損失が補償される。光増幅器８の光出力は既設波長と増設波長が光合波された波長多重信号であり、光カプラ９により光分岐され、波長レベルモニタ部１０は、光分岐された波長多重信号における各々の波長レベルを測定する。波長レベルモニタ部１０により測定された波長毎の光出力レベルの情報は、増設判定／送信レベル制御部１５に出力されて後述する手順に従って、増設波長の光送信部５１〜５ｎの光出力レベルを制御する。
【００２２】
一方、既設波長多重信号と増設波長とが光合波された波長多重信号は伝送路を光中継器２により光増幅されながら伝送され、光カプラ１１により既設波長多重装置受信部３と増設波長の光分波部１２に光分岐される。既設波長は既設波長多重装置受信部３により受信される。増設波長は光分波部１２により各波長に光分波され、増設波長毎の光受信部１３１〜１３ｎにより受信される。
【００２３】
次に波長増設の手順について説明する。
図３はこの発明の実施の形態１による波長増設手順を示すフローチャートであり、図４はこの発明の実施の形態１によるケース毎に分けた波長増設方法を示す説明図である。以下、図１、図３および図４を参照しながら説明する。
【００２４】
増設波長の光送信部５１〜５ｎは、増設前では光出力がオフの状態である。既設波長多重装置送信部１において既存波長の一部を撤去する。撤去する波長については予めトラヒックを別の波長か回線に移しておく必要がある。
【００２５】
既設波長が撤去されると波長レベルモニタ部１０において、撤去された波長の光出力レベルが大きく低下するため、増設判定／送信レベル制御部１５により既設波長が撤去されたことを検知することができる（図３：ＳＴ１，ＳＴ２）。増設判定／送信レベル制御部１５では、撤去された既設波長から撤去された波長帯域を特定し（図３：ＳＴ３）、撤去された波長帯域に含まれる増設波長を特定する。これは例えば、増設判定／送信レベル制御部１５に、各既設波長に対応した波長帯域からなる波長テーブルを予め記憶しておき、撤去された既設波長に対応する波長帯域を波長テーブルに基づいて求め、また、増設判定／送信レベル制御部１５では、光送信部５１〜５ｎにおいて出力される光送信信号の各々の波長を予め認識していることから、撤去された波長帯域に含まれる増設波長を光送信部５１〜５ｎのうちから判定することができるものである。
【００２６】
ここで、図４（ａ）に示すように、既設波長を１波長撤去する場合であって、その撤去した既設波長に対応した波長帯域に含まれる増設波長が１波長である場合（ケース１）は、実質的に増設されないので、この場合は、この実施の形態１に含まれるものではない。一方、既設波長を１波長撤去する場合であって、その撤去した既設波長に対応した波長帯域に含まれる増設波長が２波長である場合（ケース２）は、実質的に１波長増設される。この場合、増設判定／送信レベル制御部１５では、図３に示すＳＴ６へ移行して、撤去した既設波長に対応した波長帯域に含まれる増設波長数（この場合、２波長）を判定する。続いて増設判定／送信レベル制御部１５は、撤去された既設波長が撤去前に有していたと推定される波長レベルの総和（この場合、既設波長１波長分の波長レベル）を算出し（図３：ＳＴ７）、算出された波長レベルの総和と特定された光送信部に各々応じた波長レベルモニタ部１０により測定される波長レベルの総和とが等しくなる一律な目標値を増設波長の波長レベルの目標値として設定する。より具体的には、算出された波長レベルの総和を撤去した既設波長に対応した波長帯域に含まれる増設波長数（この場合、２波長）で割った値を目標値として設定する（図３：ＳＴ８）。なお、撤去された既設波長が撤去前に有していたと推定される波長レベルは、増設判定／送信レベル制御部１５において予め記憶しておくか、波長レベルモニタ部１０により測定される既設波長の波長レベル等によって推定される。
【００２７】
また、図４（ｂ）に示すように、既設波長を２波長以上撤去する場合であって、それら撤去した既設波長（この場合、２波長）に対応した波長帯域に含まれる増設波長が４波長である場合は、実質的に２波長増設される。この場合、増設判定／送信レベル制御部１５では、撤去した既設波長に対応した波長帯域に含まれる増設波長数（この場合、４波長）を判定し（図３：ＳＴ６）、撤去された既設波長が撤去前に有していたと推定される波長レベルの総和（この場合、既設波長２波長分の波長レベル）を算出し（図３：ＳＴ７）、算出された波長レベルの総和を撤去した既設波長に対応した波長帯域に含まれる増設波長数（この場合、４波長）で割った値を目標値として設定する（図３：ＳＴ８）。
【００２８】
さらに、図４（ｃ）に示すように、撤去する既設波長に対応した波長帯域に隣接する波長帯域に既に増設波長が増設されている場合は、増設判定／送信レベル制御部１５では、波長レベルモニタ部１０により測定された波長多重信号における各々の波長レベルに基づいて、特定した波長帯域に隣接する波長帯域に既に増設波長が増設されているか判定する（図３：ＳＴ４）。これは、図４（ｃ）に示すように、波長レベルモニタ部１０により測定される波長レベルが、既に増設波長が増設されている場合には、既設波長よりも低くなることから判定することができる。既に増設波長が増設されている場合には、既に増設波長が増設されている波長帯域の光送信部も含めて一律な目標値を設定する（図３：ＳＴ５）。すなわち、波長レベルモニタ部１０により測定される波長レベルから既に増設された増設波長を有する光送信部を特定し、今回撤去した既設波長に対応した波長帯域に含まれる増設波長数（この場合、３波長）に、既に増設された増設波長数（この場合、４波長）を加えた増設波長数（この場合、７波長）を判定する（図３：ＳＴ６）。また、撤去された既設波長が撤去前に有していたと推定される波長レベル（この場合、既設波長１波長分の波長レベル）および既に増設された増設波長の波長レベル（この場合、既に増設された増設波長４波長分の波長レベル）の総和を算出し（図３：ＳＴ７）、算出された波長レベルの総和と既に増設された増設波長分も含めて特定された光送信部に各々応じた波長レベルモニタ部１０により測定される波長レベルの総和とが等しくなる一律な目標値を増設波長の波長レベルの目標値として設定する。より具体的には、算出された波長レベルの総和をＳＴ６で判定された増設波長数（この場合、７波長）で割った値を目標値として設定する（図３：ＳＴ８）。なお、既に増設された増設波長の波長レベルは、増設判定／送信レベル制御部１５において以前に目標値として設定されたものであるから、予め記憶された目標値を抽出したものを、既に増設された増設波長の波長レベルとしても良い。
【００２９】
増設判定／送信レベル制御部１５は、光送信部５１〜５ｎのうちから既設波長用に特定された光送信部をオンすると共に（図３：ＳＴ９）、波長レベルモニタ部１０により測定される波長レベルが設定された目標値になるように特定された光送信部（図４（ｃ）では既に増設された増設波長を有する光送信部も含めたもの）から出力される光送信信号の光出力レベルを制御する（図３：ＳＴ１０〜ＳＴ１２）。
このように、増設波長の光出力レベルの総和は、同じ波長帯域の既設波長の光出力レベルの総和と等しくなるよう制御されるため、残存する既設波長の回線品質に影響を与えず、増設波長に置き換えることが可能である。
【００３０】
以上のように実施の形態１によれば、既設波長の一部を撤去し、撤去された既設波長に対応する波長帯域に、撤去された既設波長の数よりも数を増やして波長増設する場合に、撤去された既設波長および波長帯域の特定、特定した波長帯域に含まれる増設波長を有する光送信部の特定、特定された光送信部に各々応じた波長レベルモニタ部１０により測定される波長レベルの目標値の設定、および波長レベルモニタ部１０により測定される波長レベルが目標値になるように特定した光送信部から出力される光送信信号の光出力レベルの制御からなる、検出、演算、および制御を自動的に行うことができるので、従来のように手動で行うことによる波長挿入の間違いや光出力レベルの調整ミスによる既設波長への影響を抑止することができる。また、自動的に制御するため手動で実施するよりも短時間で増設することができる。さらに、既設波長に対しては撤去のみで何も制御しないため、ほとんど制約なく既設波長多重伝送システムに波長増設することができる効果がある。
【００３１】
また、撤去された既設波長が撤去前に有していたと推定される波長レベルの総和と特定された光送信部に各々応じた波長レベルモニタ部１０により測定される波長レベルの総和とが等しくなる一律な目標値を設定したので、残存する既設波長の伝送品質への影響をより抑止することができる効果がある。
【００３２】
さらに、特定した波長帯域に隣接する波長帯域に既に増設波長が増設されている場合に、既に増設された増設波長分も含めて光出力レベルを一律に制御するので、残存する既設波長の伝送品質への影響をさらにより抑止することができる効果がある。
【００３３】
実施の形態２．
図５はこの発明の実施の形態２による波長増設システムを備えた波長多重伝送システムの構成を示すブロック図であり、図５において、波長増設システムは、受信側において、受信ＢＥＲ（ｂｉｔ  ｅｒｒｏｒ  ｒａｔｅ）モニタ部（ビット誤り率モニタ手段）１７は、増設波長用の光受信部１３１〜１３ｎにより入力される各々の光受信信号のビット誤り率を測定するものである。また、送信側において、増設判定／送信レベル制御部（増設判定／送信レベル制御手段）１８は、受信ＢＥＲモニタ部１７により測定されるビット誤り率が一律になるように特定した光送信部から出力される光送信信号の光出力レベルを制御するものである。その他の構成については、図１と同様なので重複する説明を省略する。
【００３４】
次に動作について説明する。
図６はこの発明の実施の形態２による波長増設手順を示すフローチャートであり、以下、図５および図６を参照しながら説明する。
【００３５】
上記実施の形態１との構成の差異は、受信側に受信ＢＥＲモニタ部１７を備えている点である。上記実施の形態１では、増設波長の光送信器における光出力レベルは撤去した既設波長の光出力レベルの総和を増設波長数で均等割りした光出力レベルを目標値として設定された。この実施の形態２では、受信ＢＥＲモニタ部１７により各増設波長の受信ＢＥＲを測定し、増設判定／送信レベル制御部１８により測定された各増設波長の受信ＢＥＲをモニタすると共に（図６：ＳＴ１３）、モニタされる各増設波長の受信ＢＥＲが一律になるように、光出力レベルの目標値に偏差を付けて再設定し（図６：ＳＴ１４，ＳＴ１５）、増設波長の光出力レベルの総和を既設波長の光出力レベルの総和と等しくなるよう保ったまま、各増設波長の受信ＢＥＲが一律になるように制御するものである。
【００３６】
以上のように実施の形態２によれば、受信側における各々の増設波長のビット誤り率が一律になるように、送信側における各々の増設波長の光出力レベルを制御することで、波長多重信号の伝送品質をより一層改善することができる効果がある。
【符号の説明】
【００３７】
１  既設波長多重装置送信部、２  光中継器、３  既設波長多重装置受信部、５１〜５ｎ  増設波長用の光送信部（光送信手段）、６  光合波部（第１の光合波手段）、７  光カプラ（第２の光合波手段）、８  光増幅器（光増幅手段）、９  光カプラ（第１の光分岐手段）、１０  波長レベルモニタ部（波長レベルモニタ手段）、１１  光カプラ（第２の光分岐手段）、１２  光分波部（光分波手段）、１３１〜１３ｎ  増設波長用の光受信部（光受信手段）、１５，１８  増設判定／送信レベル制御部（増設判定／送信レベル制御手段）、１７  受信ＢＥＲモニタ部（ビット誤り率モニタ手段）。
【図１】
2010166394.tif 000003
【図２】
2010166394.tif 000004
【図３】
2010166394.tif 000005
【図４】
2010166394.tif 000006
【図５】
2010166394.tif 000007
【図６】
2010166394.tif 000008